(57)【要約】【課題】トロリーシステムに用いられる非接触式給電装置の組立性の向上を図る。【解決手段】非接触式給電装置４は、給電線６と、給電線６が配索される配索部材２と、給電線６を配索部材２に固定する電線ハンガー９と、電線ハンガー９を位置決めする位置決め構造１０と、を備える。位置決め構造１０は、給電線６の配索経路に沿った方向での配索部材２に対する電線ハンガー９の取り付け位置を選択可能に、電線ハンガー９を配索部材２に位置決めする。【選択図】図２
2009247183.tif 000002
【特許請求の範囲】
【請求項１】
移動体を備えるトロリーシステムに設けられ、前記移動体に電力を供給する非接触式給電装置であって、
電流が流れる給電線と、
前記給電線が配索される配索部材と、
前記配索部材に取り付けられて前記給電線を前記配索部材に固定する電線ハンガーと、
前記給電線に対して非接触状態で前記移動体に連結され、前記給電線を流れる電流による電磁誘導によって得た電力を前記移動体に供給する受電装置と、
前記給電線の配索経路に沿った方向での前記配索部材に対する前記電線ハンガーの取り付け位置を選択可能に、前記電線ハンガーを前記配索部材に位置決めする位置決め構造と、
を備えることを特徴とする非接触式給電装置。
【請求項２】
前記位置決め構造は、前記給電線の配索経路に沿って前記配索部材に形成され入口幅よりも奥側幅が段部をもって拡幅する凹状の溝と、前記電線ハンガーに設けられ拡開方向に弾発力をもって開閉自在となり前記溝の段部に係止される鉤部と、を備えることを特徴とする請求項１に記載の非接触式給電装置。
【請求項３】
前記位置決め構造は、前記鉤部を前記溝に取り付ける際に、当該鉤部の拡開方向を前記溝の延設方向に対してほぼ直角に配置して、前記鉤部を前記溝に圧入して係止させることを特徴とする請求項２に記載の非接触式給電装置。
【請求項４】
前記位置決め構造は、前記鉤部の幅を前記溝の入口幅よりも小さく形成し、前記鉤部を前記溝に取り付ける際に、前記鉤部の拡開方向を前記溝の延設方向に配置して、前記鉤部を前記溝に挿入した後にほぼ直角に回転して係止させることを特徴とする請求項２に記載の非接触式給電装置。
【請求項５】
前記位置決め構造は、前記給電線の配索経路に沿って前記配索部材に形成されたガイド部と、前記電線ハンガーに形成されて前記ガイド部に係合する係合部と、これらガイド部と係合部とが互いに係合した状態で前記電線ハンガーを前記配索部材に固定する固定部と、を備えることを特徴とする請求項１に記載の非接触式給電装置。
【請求項６】
前記固定部は、前記電線ハンガーを前記配索部材に締結する締結部材を備えることを特徴とする請求項５に記載の非接触式給電装置。
【請求項７】
前記電線ハンガーは、拡開方向に弾発力をもってほぼＵ字状に折曲形成されたハンガー本体部と、前記ハンガー本体部の中央折曲部の内側に設けられ前記給電線を保持する保持部と、を備え、
前記位置決め構造は、前記給電線の配索方向に沿って前記配索部材に形成され入口幅よりも奥側幅が段部をもって拡幅する凹状の溝と、前記ハンガー本体部の対を成す先端部に形成され前記溝の段部に係止される係止部と、を備えることを特徴とする請求項１に記載の非接触式給電装置。
【請求項８】
前記位置決め構造は、前記給電線の配索経路に沿って前記配索部材に形成され入口幅よりも奥側幅が段部をもって拡幅する凹状の溝と、前記電線ハンガーに設けられ前記溝の段部に係止される係止部と、を備え、
前記係止部は、前記溝の入口幅よりも小さい第１の幅とこの第１の幅方向とほぼ直交する方向の幅であって前記溝の入口幅よりも大きい第２の幅とを有し、
前記位置決め構造は、前記係止部を前記溝に取り付ける際に、前記第２の幅方向を前記溝の延設方向に配置して、前記係止部を前記溝に挿入した後にほぼ直角に回転して係止させることを特徴とする請求項１に記載の非接触式給電装置。
【発明の詳細な説明】
【技術分野】
【０００１】
本発明は、トロリーシステムに用いられる非接触式給電装置に関する。
【背景技術】
【０００２】
従来、走行式ホイストや搬送台車などの移動体と、この移動体に電力を供給する給電装置と、を備えるトロリーシステムがある。給電装置は、移動体を走行させるレールに沿って配索した給電線と移動体に設けた受電子との間で電力を受け渡しするようになっており、受電子で受け取った電力を移動体に供給するようになっている。給電装置としては、受電子にブラシが採用され、このブラシが給電線に常時接触する接触式給電装置が広く用いられている（例えば、特許文献１参照）。
【０００３】
ところが、接触式給電装置では、ブラシが給電線に常時接触しつつ移動するため、ブラシや給電線に摩耗が発生して定期的に交換する必要があり、ランニングコストが高いものとなる。
【０００４】
このため、近年では、給電線に高周波の電流を流して、その給電線の周りに発生する磁界による電磁誘導によって、その給電線に非接触状態で近接させた受電子に誘導電流を発生させるようにした非接触式給電装置が提案されている（例えば、特許文献２参照）。
【特許文献１】特開平９−２５５２７９号公報（第３頁、図１）
【特許文献２】特開平１１−４５０２号公報（第３頁、図２）
【発明の開示】
【発明が解決しようとする課題】
【０００５】
このようなトロリーシステムは、例えば、工場などに設置されるのであるが、その組立性の向上が望まれている。
【０００６】
しかしながら、特許文献１，２には、非接触式給電装置を用いたトロリーシステムの組立性の向上に関する提案がされていない。
【０００７】
そこで、本発明は、トロリーシステムに用いられる非接触式給電装置の組立性の向上を図ることを目的とする。
【課題を解決するための手段】
【０００８】
本発明の第１の態様は、移動体を備えるトロリーシステムに設けられ、前記移動体に電力を供給する非接触式給電装置であって、電流が流れる給電線と、前記給電線が配索される配索部材と、前記配索部材に取り付けられて前記給電線を前記配索部材に固定する電線ハンガーと、前記給電線に対して非接触状態で前記移動体に連結され、前記給電線を流れる電流による電磁誘導によって得た電力を前記移動体に供給する受電装置と、前記給電線の配索経路に沿った方向での前記配索部材に対する前記電線ハンガーの取り付け位置を選択可能に、前記電線ハンガーを前記配索部材に位置決めする位置決め構造と、を備えることを特徴とする。
【０００９】
本発明の第２の態様は、前記第１の態様の非接触式給電装置において、前記位置決め構造は、前記給電線の配索経路に沿って前記配索部材に形成され入口幅よりも奥側幅が段部をもって拡幅する凹状の溝と、前記電線ハンガーに設けられ拡開方向に弾発力をもって開閉自在となり前記溝の段部に係止される鉤部と、を備えることを特徴とする。
【００１０】
本発明の第３の態様は、前記第２の態様の非接触式給電装置において、前記位置決め構造は、前記鉤部を前記溝に取り付ける際に、当該鉤部の拡開方向を前記溝の延設方向に対してほぼ直角に配置して、前記鉤部を前記溝に圧入して係止させることを特徴とする。
【００１１】
本発明の第４の態様は、前記第２の態様の非接触式給電装置において、前記位置決め構造は、前記鉤部の幅を前記溝の入口幅よりも小さく形成し、前記鉤部を前記溝に取り付ける際に、前記鉤部の拡開方向を前記溝の延設方向に配置して、前記鉤部を前記溝に挿入した後にほぼ直角に回転して係止させることを特徴とする。
【００１２】
本発明の第５の態様は、前記第１の態様の非接触式給電装置において、前記位置決め構造は、前記給電線の配索経路に沿って前記配索部材に形成されたガイド部と、前記電線ハンガーに形成されて前記ガイド部に係合する係合部と、これらガイド部と係合部とが互いに係合した状態で前記電線ハンガーを前記配索部材に固定する固定部と、を備えることを特徴とする。
【００１３】
本発明の第６の態様は、前記第５の態様の非接触式給電装置において、前記固定部は、前記電線ハンガーを前記配索部材に締結する締結部材を備えることを特徴とする。
【００１４】
本発明の第７の態様は、前記第１の態様の非接触式給電装置において、前記電線ハンガーは、拡開方向に弾発力をもってほぼＵ字状に折曲形成されたハンガー本体部と、前記ハンガー本体部の中央折曲部の内側に設けられ前記給電線を保持する保持部と、を備え、前記位置決め構造は、前記給電線の配索方向に沿って前記配索部材に形成され入口幅よりも奥側幅が段部をもって拡幅する凹状の溝と、前記ハンガー本体部の対を成す先端部に形成され前記溝の段部に係止される係止部と、を備えることを特徴とする。
【００１５】
本発明の第８の態様は、前記第１の態様の非接触式給電装置において、前記位置決め構造は、前記給電線の配索経路に沿って前記配索部材に形成され入口幅よりも奥側幅が段部をもって拡幅する凹状の溝と、前記電線ハンガーに設けられ前記溝の段部に係止される係止部と、を備え、前記係止部は、前記溝の入口幅よりも小さい第１の幅とこの第１の幅方向とほぼ直交する方向の幅であって前記溝の入口幅よりも大きい第２の幅とを有し、前記位置決め構造は、前記係止部を前記溝に取り付ける際に、前記第２の幅方向を前記溝の延設方向に配置して、前記係止部を前記溝に挿入した後にほぼ直角に回転して係止させることを特徴とする。
【発明の効果】
【００１６】
本発明の第１の態様によれば、位置決め構造によって、給電線の配索経路に沿った方向での配索部材に対する電線ハンガーの取り付け位置を選択可能に電線ハンガーを配索部材に位置決めできるので、給電線の所望の位置を電線ハンガーによって配索部材に固定することができ、トロリーシステムに用いられる非接触式給電装置の組立性の向上を図ることができる。
【００１７】
本発明の第２の態様によれば、第１の態様の効果に加えて、配索部材に形成した溝内で電線ハンガーに設けた鉤部が弾発力をもって拡開されることにより、その鉤部が溝の段部に圧接状態で係止して、電線ハンガーを配索部材に対して固定することができる。
【００１８】
本発明の第３の態様によれば、第２の態様の効果に加えて、鉤部の拡開方向を溝の延設方向に対してほぼ直角に配置して、鉤部を溝に圧入することにより、鉤部は、溝の入口で一旦閉じた後に奥側で再度拡開して係止されることになる。これにより、鉤部を溝に単に押し込むという簡単な操作で電線ハンガーをワンタッチで配索部材に取り付けることができる。
【００１９】
本発明の第４の態様によれば、第２の態様の効果に加えて、鉤部の幅を溝の入口幅よりも小さくしたことにより、鉤部は、それの拡開方向を溝の延設方向に配置した状態で当該溝に挿入可能となる。そして、鉤部を溝に挿入した後にほぼ直角に回転することにより、鉤部は、拡開状態で溝の段部に圧接して係止されることになる。これにより、鉤部を溝に挿入してほぼ直角に回転するという簡単な操作で電線ハンガーを配索部材に取り付けることができる。
【００２０】
本発明の第５の態様によれば、第１の態様の効果に加えて、配索部材に形成されたガイド部に、電線ハンガーに形成された係合部を係合することにより、ガイド部と係合部とが相互に係合するので、電線ハンガーを簡単に位置決めすることができる。そして、このように位置決めした電線ハンガーを、固定部によって配索部材に確実に固定することができる。
【００２１】
本発明の第６の態様によれば、第４の態様の効果に加えて、固定部が締結部材によって電線ハンガーを配索部材に締結するので、電線ハンガーを配索部材に強固に取り付けることができる。
【００２２】
本発明の第７の態様によれば、第１の態様の効果に加えて、ほぼＵ字状に折曲形成したハンガー本体部の中央折曲部に設けた保持部に給電線を挟んだ状態で、先端部の係止部を配索部材に形成した溝の段部に係止することで、ハンガー本体部の拡開方向の弾発力により電線ハンガーを配索部材の所望の位置に固定できるとともに、前記中央折曲部で給電線を挟み保持することができる。したがって、給電線を施設した後でも電線ハンガーの取り付けが可能となり、給電線が垂れている箇所への電線ハンガーの追加が容易となって給電線の垂れを簡単に抑制できる。更に、ほぼＵ字状に折曲形成したハンガー本体に、給電線の保持部と位置決め用の係止部とを設けることができるので、電線ハンガーの構成を簡素化して安価に仕上げることができる。
【００２３】
本発明の第８の態様によれば、第１の態様の効果に加えて、係止部を溝に取り付ける際に、第２の幅方向を溝の延設方向に配置して、係止部を溝に挿入した後にほぼ直角に回転して係止させるという簡単な操作で電線ハンガーを配索部材に取り付けることができる。
【発明を実施するための最良の形態】
【００２４】
以下、本発明の実施形態について図面を参照しつつ詳細に説明する。
【００２５】
（第１の実施形態）
図１〜図６は、本発明の第１の実施形態にかかる非接触式給電装置を用いたトロリーシステムを示し、図１は、トロリーシステムの全体を示す概略構成図、図２は、図１中II−II線に沿った拡大断面図、図３は、給電線の接続端部を示す拡大斜視図、図４は、給電線を接続する接続具の拡大斜視図、図５は、電線ハンガーと配索部材との位置決め構造を配索部材を断面して示す側面図、図６は、電線ハンガーを配索部材に取り付ける状態を示す分解斜視図である。
【００２６】
図１に示すように、トロリーシステム１は、図示省略した移動体用レールに沿って移動可能な移動体３と、この移動体３に電力を供給する非接触式給電装置４と、を備えている。
【００２７】
移動体３を案内する移動体用レールは、図示省略した工場や倉庫などの躯体に固定して設置される。そして、移動体３は、非接触式給電装置４から供給される電力によってモータ３１を駆動して、所定の仕事、例えば移動体用レールに沿った走行や図示省略したチェーンブロックの作動、搬送ベルトの駆動などを行う。
【００２８】
非接触式給電装置４は、細長い板状の配索部材２と、この配索部材２に配索され電源５から高周波の電流が流される相互に連結された複数の給電線６と、移動体３に従動し給電線６から得た電力を移動体３に供給する受電装置７と、を備える。
【００２９】
受電装置７は、給電線６に対して非接触状態で移動体３に連結されており、移動体３に牽引されることで、配索部材２および給電線６に沿って移動する。この受電装置７は、給電線６を流れる電流による電磁誘導によって得た電力を移動体３に供給する。
【００３０】
受電装置７は、給電線６に非接触状態で配置される受電子としてのコア７１、共振回路７２および定電圧回路７３を有している。
【００３１】
コア７１は、図２に示すように、給電線６を側方から跨るように断面ほぼＵ字状の外郭７１ｓを有し、その外郭７１ｓの内部には、給電線６の両側方に位置するように一対のコイル７１ｐ、７１ｍが対向配置されて電磁ピックアップが構成される。ここで、コイル７１ｐ、７１ｍは、給電線６に可能な限り近接させることが好ましい。そして、電源５から給電線６に高周波の電流が供給されることにより、給電線６の周囲に、供給された高周波の電流の周波数に応じた磁界ＭＦの発生・減衰現象が発生し、それが磁束密度の変化となってコイル７１ｐ、７１ｍに誘導電流が発生する（電磁誘導）。
【００３２】
そして、受電装置７では、このようにしてコイル７１ｐ、７１ｍに発生した電流を、図１に示す共振回路７２で安定化した後、定電圧回路７３から移動体３に設けたインバータ３２に送る。移動体３では、インバータ３２でその電流を直流に変換しモータ３１に供給する。
【００３３】
給電線６は、図３に示すように、導体部６１と、この導体部６１を中心部に埋設した絶縁部６２と、によって一定長さの長尺体として形成される。給電線６は、配索される長さに応じて複数本を繋いで使用される。
【００３４】
導体部６１は、チャンネル状の小径管６１ａと大径管６１ｂとをほぼ同心円状に配置した二重管構造となっており、小径管６１ａの開放部６１ｃと大径管６１ｂの開放部６１ｄとが同方向に配置される。そして、小径管６１ａと大径管６１ｂとは、開放部６１ｃ、６１ｄとは反対側で連結リブ６１ｅを介して互いに連結される。また、大径管６１ｂの連結リブ６１ｅの配置側には、その連結リブ６１ｅを中心として所定幅Ｗ０に亘って平坦部６１ｆを形成してある。
【００３５】
絶縁部６２は、柔軟な合成樹脂などで形成される。この絶縁部６２に導体部６１をインサートして押出し成型することにより、一定長さの給電線６を連続的に成形することができる。
【００３６】
絶縁部６２は、全体的にほぼ断面矩形状に形成され、導体部６１の開放部６１ｃ、６１ｄが配置された側（図中上方）が小さな幅Ｗ１となる幅狭部６２ａとなるとともに、その反対側（図中下方）が大きな幅Ｗ２となる幅広部６２ｂとなり、それら両者間に段差部６２ｃが形成される。また、幅狭部６２ａの外方（図中上方）の角部は、面取りされるとともに、幅広部６２ｂの外方（図中下方）の角部には、その幅広部６２ｂの面方向に若干突出する凸部６２ｄが幅方向に一対突設される。
【００３７】
そして、図１に示すように、給電線６同士は、配索部材２に沿って配索される際、ジョイナー８、Ｌ型ジョイナー８Ａ、エンドジョイナー８Ｂなどの接続具を介して繋げられる。
【００３８】
ここで、配索部材２には、移動体３の予め設定した走行経路に沿って直線部分、折曲部分および湾曲部分などが形成され、これに伴って給電線６も配索部材２の直線部分は直線状配索部分６Ａとなり、折曲部分は折曲状配索部分６Ｂとなり、かつ、湾曲部分は湾曲状配索部分６Ｃとなる。したがって、給電線６の直線状配索部分６Ａはジョイナー８によって接続され、湾曲状配索部分６ＣはＬ型ジョイナー８Ａによって接続される。また、給電線６は、往路側の線６ｍと復路側の線６ｎとがほぼ平行して配索されることになるが、それら両線６ｍ、６ｎの終端部同士はエンドジョイナー８Ｂで接続される。
【００３９】
図４に示すように、給電線６同士を直線状に接続するジョイナー８は、全体が例えば合成樹脂などの絶縁部材によって給電線６よりも大きな幅Ｗ３となる直方体状に形成される。ジョイナー８の高さｈ方向（図中上下方向）の一端部には、給電線６を差し込む接続凹部８１が長さＬ方向（図中左右方向）に貫通して形成され、接続しようとする一対の給電線６の接続端部６Ｅを接続凹部８１の長さＬ方向両端部から対向させて差し込むようになっている。また、給電線６の接続端部６Ｅは、所定長さＬ１に亘って絶縁部６２を切除して導体部６１を露出させてある。
【００４０】
接続凹部８１は、給電線６の絶縁部６２の外側形状、つまり、幅狭部６２ａ、幅広部６２ｂ、段差部６２ｃ、凸部６２ｄおよび底面６２ｅの形状にほぼ沿った断面形状となっており、接続凹部８１に給電線６を差し込んだ状態では、給電線６は、ガタ無くジョイナー８に保持されて容易に離脱されないようになっている。勿論、給電線６の外側断面形状および接続凹部８１の内側形状は、本実施形態に限定されるものではなく、両者間で確実に保持されて確実に接続できる形状であればよい。
【００４１】
接続凹部８１の底面８１ａの長さＬ方向中央部には、給電線６の接続端部６Ｅから露出した導体部６１の平坦部６１ｆに接触する導通板８２を取り付けてあり、その導通板８２を介して接続しようとする給電線６の導体部６１同士が電気的に接続される。また、ジョイナー８の幅Ｗ３は、コア７１が通過できる寸法となっている。
【００４２】
給電線６は、配索部材２に取り付けられる電線ハンガー９によって配索部材２に固定される。この電線ハンガー９によって、給電線６を配索部材２に沿わせて配索しつつ、給電線６の垂れ下がりを防止するようになっている。
【００４３】
電線ハンガー９は、図２に示すように、一対の平行配置される給電線６（６ｍ、６ｎ）を保持する保持アーム９１、９２と、これら保持アーム９１、９２の基端部同士を連結する連結部９３と、によってほぼＵ字状に形成されている。そして、それぞれの保持アーム９１、９２の先端部には、給電線６（６ｍ、６ｎ）を保持する保持部９１Ｈ、９２Ｈが形成されている。保持部９１Ｈ、９２Ｈは、給電線６の外側形状、つまり、絶縁部６２の外側断面形状にほぼ沿った内側形状に形成され、保持部９１Ｈ、９２Ｈによって給電線６をガタ無く密接して保持する。
【００４４】
ここで、図１では、保持アーム９１、９２の長さを、便宜上、ほぼ等しい状態で示してあるが、実際には図２に示すように、往路側の線６ｍを保持する保持アーム９１が、復路側の線６ｎを保持する保持アーム９２よりも長く形成され、コア７１が復路側の線６ｍをスペース的に余裕をもって通過できるようになっている。
【００４５】
そして、本実施形態にあっては、電線ハンガー９を配索部材２に位置決めする位置決め構造１０を設けてある。この位置決め構造１０は、給電線６の配索経路に沿った方向での配索部材２に対する電線ハンガー９の取り付け位置を選択可能に、電線ハンガー９を配索部材２に位置決めする。
【００４６】
位置決め構造１０は、図５、図６にも示すように、溝１１とＶ字状の鉤部１２とを備えて構成される。溝１１は、給電線６の配索経路に沿って形成され、入口１１ａの幅よりも奥側１１ｂの幅が段部１１ｃをもって拡幅している。鉤部１２は、電線ハンガー９に設けられ、拡開方向に弾発力をもって開閉自在であり、溝１１の段部１１ｃに係止される。
【００４７】
溝１１は、配索部材２の片面に形成した平坦面２ａの幅方向（図５中上下方向）ほぼ中央部に形成されている。鉤部１２は、電線ハンガー９の連結部９３の外側面９３ａのほぼ中央部に設けた座部９３ｂから突設され、差し込み方向（図５中左方）の先端から連結部９３に向かって、つまり、後退する方向にＶ字状に拡開する係止片１２ａ、１２ｂが設けられ、これら係止片１２ａ、１２ｂ間に拡開方向の弾発力が付与されている。
【００４８】
そして、位置決め構造１０は、図５、図６に示すように、鉤部１２を溝１１に取り付ける際に、鉤部１２の拡開方向を溝１１の延設方向Ｘ（図５中紙面直角方向）に対してほぼ直角に配置して、図２に示すように、溝１１の鉤部１２を圧入して係止させるようになっている。このとき、溝１１が給電線６の配索経路に沿って形成されているので、溝１１の任意の位置に鉤部１２を圧入すること可能である、即ち、給電線６の配索経路に沿った方向での配索部材２に対する電線ハンガー９の取り付け位置を選択可能となっている。
【００４９】
したがって、鉤部１２が溝１１に圧入された状態では、図２に示すように、Ｖ字状の係止片１２ａ、１２ｂの先端部が段部１１ｃに係止して抜止めされる。このとき、鉤部１２の先端は、溝１１の底面１１ｄに当接するようになっており、鉤部１２は、溝１１内に安定的に係止される。
【００５０】
そして、このように鉤部１２が溝１１内に係止した状態では、連結部９３の座部９３ｂが配索部材２の平坦面２ａに当接しており、電線ハンガー９は、配索部材２に安定的に固定される。
【００５１】
以上説明した本実施形態のトロリーシステム１によれば、非接触式給電装置４を用いたことにより、コア７１が給電線６に接触しないため、コア７１および給電線６の摩耗を無くして定期的なメンテナンスを軽減できる。
【００５２】
また、このようにコア７１と給電線６とが非接触となることにより、それら両者間の摺動抵抗が無くなって移動体３の走行速度を上昇できるとともに、給電線６が湾曲している箇所でも電力の受け取りが可能となる。更に、従来のように接触式のブラシを用いた場合に発生する電力スパークが無くなるとともに、電力の受け取り部分の露出が減少して安全性を向上できる。更にまた、水気の多い場所であってもショートを効率良く抑制できるとともに、接触不良による瞬時の停電状態を防止できる。
【００５３】
そして、このように非接触式給電装置４を用いたトロリーシステム１にあって、本実施形態では、給電線６の配索経路に沿った方向での配索部材２に対する電線ハンガー９の取り付け位置を選択可能に、電線ハンガー９を配索部材２に位置決めする位置決め構造１０を設けてあるので、給電線６の所望の位置を電線ハンガー９によって配索部材２に固定することができ、非接触式給電装置４の組立性の向上を図ることができる。そして、このように給電線６の所望の位置を電線ハンガー９によって配索部材２に固定することができるので、給電線６の所望の位置として、例えば、給電線６に弛みが発生し易い部位を、電線ハンガー９によって配索部材２に固定できる。これにより、給電線６を弛ませることなく配索できるので、給電線６とコア７１との間の隙間をほぼ一定に維持できるようになり、それら両者間の電磁誘導現象の効率化を図ってコア７１に発生される誘導電流をより高めることができる。
【００５４】
また、本実施形態では、位置決め構造１０を、給電線６の配索経路に沿って配索部材２に形成した溝１１と、電線ハンガー９に設けたＶ字状の鉤部１２と、によって構成してある。このとき、溝１１は、入口１１ａの幅よりも奥側１１ｂの幅が段部１１ｃをもって拡幅しており、Ｖ字状の鉤部１２は、拡開方向に弾発力をもって開閉自在となって、溝１１の段部１１ｃに係止されるようになっている。したがって、溝１１内でＶ字状の鉤部１２が弾発力をもって拡開されることにより、そのＶ字状の鉤部１２が溝１１の段部１１ｃに圧接状態で係止して、電線ハンガー９を配索部材２に固定することができる。
【００５５】
また、位置決め構造１０は、鉤部１２を溝１１に取り付ける際に、鉤部１２の拡開方向を溝１１の延設方向Ｘに対してほぼ直角に配置して、鉤部１２を溝１１に圧入して係止させるようになっている。これにより、鉤部１２を溝１１に圧入した際に、鉤部１２が溝１１の入口１１ａで一旦閉じた後に奥側１１ｂで再度拡開して係止されることになる。これにより、鉤部１２を溝１１に単に押し込むという簡単な操作で電線ハンガー９をワンタッチで配索部材２に取り付けることができる。
【００５６】
ここで、本実施形態の変形例の位置決め構造１０Ａを図７を参照して説明する。図７は、本変形例の電線ハンガーの取り付け手順を（ａ）〜（ｃ）に順を追って示す斜視図である。なお、本変形例の位置決め構造１０Ａは、位置決め構造１０と同様の構成要素を備えている。よって、それら同様の構成要素には共通の符号を付すとともに、重複する説明を省略する。
【００５７】
図７（ａ）に示すように、本変形例の位置決め構造１０Ａは、鉤部１２の幅ｗ１を溝１１の入口１１ａの幅ｗ２よりも小さく形成し、鉤部１２を溝１１に取り付ける際に、Ｖ字状の鉤部１２の拡開方向を溝１１の延設方向Ｘに配置して、図７（ｂ）に示すように鉤部１２を溝１１に挿入した後に、図７（ｃ）に示すようにほぼ直角に回転して係止させるようになっている。
【００５８】
したがって、本変形例によれば、鉤部１２の幅ｗ１を溝１１の入口１１ａの幅ｗ２よりも小さくしたことにより、鉤部１２は、それの拡開方向を溝１１の延設方向Ｘに配置した状態でその溝１１に挿入可能となる。そして、鉤部１２を溝１１に挿入した後にほぼ直角に回転することにより、鉤部１２は、拡開状態で溝１１の段部１１ｃに圧接して係止されることになる（図２参照）。これにより、鉤部１２を溝１１に挿入してほぼ直角に回転するという簡単な操作で電線ハンガー９を配索部材２に取り付けることができる。
【００５９】
なお、本実施形態では、配索部材として板状の配索部材２を例に説明したが、これに限ることなく、例えば、配索部材は、断面Ｉ型や断面Ｃ型であってもよい。
【００６０】
（第２の実施形態）
図８，図９は、本発明の第２実施形態を示し、図８、トロリーシステムの電線ハンガーを配索部材に位置決めした状態を示す断面図、図９は、電線ハンガーの取り付け手順を（ａ）、（ｂ）に順を追って示す斜視図である。なお、本実施形態にかかるトロリーシステムは、第１の実施形態にかかるトロリーシステムと同様の構成要素を備えている。よって、それら同様の構成要素には共通の符号を付すとともに、重複する説明を省略する。
【００６１】
図８に示すように、本実施形態の電線ハンガー９Ａは、基本的に第１の実施形態と同様に、保持アーム９１、９２と連結部９３とによってほぼＵ字状に形成してあるともに、位置決め構造１０Ｂを設けてあり、位置決め構造１０Ｂは、給電線６の配索経路に沿った方向での配索部材２に対する電線ハンガー９Ａの取り付け位置を選択可能に、電線ハンガー９Ａを配索部材２に位置決めするようになっている。
【００６２】
そして、本実施形態が第１の実施形態と主に異なる点は、位置決め構造１０Ｂが、給電線６の配索経路に沿って配索部材２に凸状に形成されたガイド部１３と、電線ハンガー９Ａに凹設されてガイド部１３に密接して係合する凹状の係合部１４と、これらガイド部１３と係合部１４とが互いに係合した状態で電線ハンガー９Ａを配索部材２に固定する固定部１５と、を備えている点である。
【００６３】
固定部１５は、図９（ａ），（ｂ）に示すように、給電線６の配索方向に沿って所定間隔をもって形成した複数の固定穴としてのねじ穴１５ａと、電線ハンガー９Ａの連結部９３に挿通した状態でねじ穴１５ａに螺合して電線ハンガー９Ａを配索部材２に締結する締結部材としてのボルト１５ｂと、を備えて構成してある。
【００６４】
本実施形態では、電線ハンガー９Ａの連結部９３の外側面９３ａは、全体が平坦に形成されて、その外側面９３ａの全面が配索部材２の平坦面２ａに当接される。そして、連結部９３のほぼ中央部にボルト挿通穴９３ｃを設けて、そのボルト挿通穴９３ｃに挿通したボルト１５ｂをねじ穴１５ａに螺合することにより、外側面９３ａの全面がほぼ均等な面圧で配索部材２に安定的に固定される。
【００６５】
以上説明した本実施形態によれば、給電線６の配索経路に沿って配索部材２に形成されたガイド部１３に、電線ハンガー９Ａに形成された係合部１４を係合することにより、ガイド部１３と係合部１４とが密接して係合するので、電線ハンガー９Ａを簡単に位置決めすることができる。そして、このように位置決めした電線ハンガー９Ａは、固定部１５によって配索部材２に確実に固定することができる。
【００６６】
そして、固定部１５では、締結部材であるボルト１５ｂによって電線ハンガー９Ａを配索部材２に締結するので、電線ハンガー９Ａを配索部材２に強固に取り付けることができる。このとき、ボルト１５ｂが螺合するねじ穴１５ａが給電線６の配索方向に沿って複数形成されているので、電線ハンガー９Ａをねじ穴１５ａの位置に応じた任意の位置に取り付けることができる。即ち、位置決め構造１０Ｂは、給電線６の配索経路に沿った方向での配索部材２に対する電線ハンガー９Ａの取り付け位置を選択可能に、電線ハンガー９Ａを配索部材２に位置決めする。
【００６７】
なお、本実施形態ではガイド部１３および係合部１４を断面矩形状に形成したが、ガイド部１３および係合部１４を断面は、これに限ることなくその他の断面形状、例えば、半円弧状や三角状の断面形状に形成することもできる。
【００６８】
また、本実施形態ではガイド部１３を凸状に形成し係合部１４を凹状に形成したが、これとは逆に、ガイド部１３を凹状に形成し係合部１４を凸状に形成してもよい。
【００６９】
（第３の実施形態）
図１０，図１１は、本発明の第３の実施形態を示し、図１０は、電線ハンガーの取付状態を示す要部拡大断面図、図１１は、電線ハンガーの取り付け手順を（ａ）、（ｂ）に順を追って示す斜視図である。なお、本実施形態にかかるトロリーシステムは、第１の実施形態にかかるトロリーシステムと同様の構成要素を備えている。よって、それら同様の構成要素には共通の符号を付すとともに、重複する説明を省略する。
【００７０】
図１０に示すように、本実施形態の電線ハンガー９Ｂは、基本的に第１の実施形態と同様に、給電線６の適宜部分を配索部材２に支持するようになっており、かつ、電線ハンガー９Ａを配索部材２に位置決めする位置決め構造１０Ｃを設けてある。位置決め構造１０Ｃは、給電線６の配索経路に沿った方向での配索部材２に対する電線ハンガー９Ａの取り付け位置を選択可能に、電線ハンガー９Ａを配索部材２に位置決めするようになっている。
【００７１】
そして、本実施形態が第１の実施形態と主に異なる点は、電線ハンガー９Ｂが、拡開方向に弾発力をもってほぼＵ字状に折曲形成されたハンガー本体部９４と、そのハンガー本体部９４の中央折曲部の内側に設けられる給電線６の保持部９４ａと、を備えている点である。また、位置決め構造１０Ｃは、給電線６の配索方向に沿って配索部材２に形成され入口１６ａの幅よりも奥側１６ｂの幅が段部１６ｃをもって拡幅する凹状の溝１６と、ハンガー本体部９４の対を成す先端部９４ｂ、９４ｃに形成され溝１６の段部１６ｃに係止される係止部１７と、を備えている点も第１の実施形態に対して異なる。
【００７２】
ハンガー本体部９４は、ばね鋼などの弾性変形に富む材料で形成され、それを所定幅の帯板状に形成して、その長さ方向中央部を、給電線６の外側形状に沿った内側形状をもってほぼＵ字状に折曲することにより概ね構成される。そして、折曲した中央部内側が保持部９４ａとなり、その保持部９４ａには拡開方向の弾発力が付与される。
【００７３】
尚、本実施形態では、給電線６の絶縁部６２の外側断面形状は、円形状となっており、これに伴って保持部９４ａの内側形状は、絶縁部６２の外側にほぼ沿った円形状に形成されている。勿論、第１，第２の実施形態のように絶縁部６２の外側断面形状がほぼ矩形状である場合は、保持部９４ａの内側形状は、それに沿った矩形状となる。
【００７４】
また、係止部１７は、ハンガー本体部９４の先端部９４ｂ、９４ｃを単に外側方向に折曲することにより形成される。
【００７５】
更に、溝１６は、第１の実施形態の溝１１とほぼ同様の断面形状をもって形成されるが、本実施形態の溝１６では係止部１７を段部１６ｃに係止するのみで、第１の実施形態のように鉤部１２を挿入する必要が無いため、奥側１６ｂの深さを第１の実施形態の溝１１よりも浅く形成することができる。
【００７６】
したがって、本実施形態の電線ハンガー９Ｂを配索部材２に取り付ける際には、図１１（ａ）に示すように、ハンガー本体部９４の開閉方向Ｙを溝１６の延設方向Ｘに対してほぼ直角に配置する。そして、図１１（ｂ）に示すように、ハンガー本体部９４の中央折曲部に設けた保持部９４ａに給電線６を挟んだ状態で、先端部９４ｂ、９４ｃを閉じ方向に押し縮め、係止部１７を溝１６の入口１６ａから内方に挿入してハンガー本体部９４の閉じ力を解除する。すると、図１０に示すように、係止部１７が溝１６の段部１６ｃにハンガー本体部９４の拡開方向の弾発力により係止される。これにより、電線ハンガー９Ｂを配索部材２の所望の位置に固定できるとともに、中央折曲部に設けた保持部９４ａで給電線６を挟み保持することができる。このとき、溝１６が給電線６の配索方向に沿って配索部材２に形成されているので、電線ハンガー９Ａの取り付け位置は、給電線６の配索経路に沿った方向で任意の位置を選択可能となっている。
【００７７】
以上説明した本実施形態によれば、ほぼＵ字状に折曲したハンガー本体部９４の中央折曲部に給電線６の保持部９４ａを設けるとともに、先端部９４ｂ、９４ｃに係止部１７を設けたことにより、ハンガー本体部９４の拡開方向の弾発力により電線ハンガー９Ｂを配索部材２の所望の位置に固定できるとともに、中央折曲部で給電線６を挟み保持することができる。
【００７８】
したがって、最初に給電線６を施設した後に電線ハンガー９Ｂの取り付けが可能となり、給電線６が垂れている箇所への電線ハンガー９Ｂの追加が容易となって、給電線６の垂れを簡単に抑制できる。
【００７９】
更に、ほぼＵ字状に折曲形成したハンガー本体部９４に、給電線６の保持部９４ａと位置決め用の係止部１７とを設けることができるので、電線ハンガー９Ｂの構成を簡素化して安価に仕上げることができる。
【００８０】
（第４の実施形態）
図１２〜図１７は、本発明の第４の実施形態を示し、図１２は、電線ハンガーを示す斜視図、図１３は、電線ハンガーを示し、（ａ）は正面図、（ｂ）は底面図、図１４は、電線ハンガーの右側面図、図１５は、電線ハンガーの左側面図、図１６は、図１３（ａ）中Ａ−Ａ線に沿った断面図、図１７は、電線ハンガーの取り付け手順を（ａ）〜（ｃ）に順を追って示す斜視図である。なお、本実施形態にかかるトロリーシステムは、第１の実施形態にかかるトロリーシステムと同様の構成要素を備えている。よって、それら同様の構成要素には共通の符号を付すとともに、重複する説明を省略する。
【００８１】
図１２ないし図１６に示すように、本実施形態の電線ハンガー９Ｄは、基本的に第１の実施形態と同様に、保持アーム９１、９２と連結部９３とによってほぼＵ字状に形成してあるとともに、位置決め構造１０Ｄを設けてあり、位置決め構造１０Ｄは、給電線６の配索経路に沿った方向での配索部材２に対する電線ハンガー９Ｄの取り付け位置を選択可能に、電線ハンガー９Ｄを配索部材２に位置決めするようになっている。
【００８２】
そして、本実施形態は、位置決め構造１０Ｄが第１の実施形態と主に異なる。本実施形態の位置決め構造１０Ｄは、溝１１を備える点は第１の実施形態と同じであるが、鉤部１２に代えて係止部１２Ｄを設けてある点が第１の実施形態と異なる。
【００８３】
係止部１２Ｄは、首部９９を介して電線ハンガー９Ｄの連結部９３に連設されており、溝１１の段部１１ｃに係止されるようになっている。詳しくは、係止部１２Ｄは、溝１１の入口１１ａ（図５参照）幅よりも小さい第１の幅ｗ４（図３（ｂ））とこの第１の幅ｗ４方向とほぼ直交する方向の幅であって溝１１の入口１１ａ幅よりも大きい第２の幅ｗ５（図３（ｂ））とを有してブロック状に形成されている。ここで、首部９９は、溝１１の入口１１ａに挿入された状態で回転自在となるようにその外形が形成されている。
【００８４】
かかる構成の位置決め構造１０Ｄでは、図１７（ａ）に示すように、係止部１２Ｄを溝１１に取り付ける際に、第２の幅ｗ５方向を溝１１の延設方向に配置して、図１７（ｂ）に示すように係止部１２Ｄを溝１１に挿入した後に、図１７（ｃ）に示すようにほぼ直角に回転して係止させるようになっている。
【００８５】
以上説明した本実施形態によれば、係止部１２Ｄを溝１１に取り付ける際に、第２の幅ｗ５方向を溝１１の延設方向に配置して、係止部１２Ｄを溝１１に挿入した後にほぼ直角に回転して係止させるという簡単な操作で電線ハンガー９Ｄを配索部材２に取り付けることができる。
【００８６】
なお、本発明は、前記各実施形態に例をとって説明したが、これら実施形態に限ることなく本発明の要旨を逸脱しない範囲で他の実施形態を各種採用することができる。
【図面の簡単な説明】
【００８７】
【図１】本発明の第１の実施形態にかかるトロリーシステムの全体を示す概略構成図。
【図２】図１中II−II線に沿った拡大断面図。
【図３】本発明の第１の実施形態にかかる給電線の接続端部を示す拡大斜視図。
【図４】本発明の第１の実施形態にかかる給電線を接続する接続具の拡大斜視図。
【図５】本発明の第１の実施形態にかかる電線ハンガーと配索部材との位置決め構造を配索部材を断面して示す側面図。
【図６】本発明の第１の実施形態にかかる電線ハンガーを配索部材に取り付ける状態を示す分解斜視図。
【図７】本発明の第１の実施形態の変形例にかかる電線ハンガーの取り付け手順を（ａ）〜（ｃ）に順を追って示す斜視図。
【図８】本発明の第２の実施形態にかかるトロリーシステムの電線ハンガーを配索部材に位置決めした状態を示す断面図である。
【図９】本発明の第２の実施形態にかかる電線ハンガーの取り付け手順を（ａ）、（ｂ）に順を追って示す斜視図。
【図１０】本発明の第３の実施形態にかかる電線ハンガーの取付状態を示す要部拡大断面図。
【図１１】本発明の第３の実施形態にかかる電線ハンガーの取り付け手順を（ａ）、（ｂ）に順を追って示す斜視図。
【図１２】本発明の第４の実施形態にかかる電線ハンガーを示す斜視図。
【図１３】本発明の第４の実施形態にかかる電線ハンガーを示し、（ａ）は正面図、（ｂ）は底面図。
【図１４】本発明の第４の実施形態にかかる電線ハンガーの右側面図。
【図１５】本発明の第４の実施形態にかかる電線ハンガーの左側面図。
【図１６】図１３（ａ）中Ａ−Ａ線に沿った断面図。
【図１７】本発明の第４の実施形態にかかる電線ハンガーの取り付け手順を（ａ）〜（ｃ）に順を追って示す斜視図。
【符号の説明】
【００８８】
１  トロリーシステム
２  配索部材
３  移動体
４  非接触式給電装置
６  給電線
７  受電装置
９、９Ａ、９Ｂ，９Ｄ  電線ハンガー
１０、１０Ａ、１０Ｂ、１０Ｃ，１０Ｄ  位置決め構造
１１、１６  溝
１１ａ、１６ａ  溝の入口
１１ｂ、１６ｂ  溝の奥側
１１ｃ、１６ｃ  溝の段部
１２  鉤部
１２Ｄ  係止部１２Ｄ
１３  ガイド部
１４  係合部
１５  固定部
１５ｂ  ボルト（締結部材）
１７  係止部
９１、９２  保持アーム
９３  連結部
９４  ハンガー本体部
９４ａ  保持部
【図１】
2009247183.tif 000003
【図２】
2009247183.tif 000004
【図３】
2009247183.tif 000005
【図４】
2009247183.tif 000006
【図５】
2009247183.tif 000007
【図６】
2009247183.tif 000008
【図７】
2009247183.tif 000009
【図８】
2009247183.tif 000010
【図９】
2009247183.tif 000011
【図１０】
2009247183.tif 000012
【図１１】
2009247183.tif 000013
【図１２】
2009247183.tif 000014
【図１３】
2009247183.tif 000015
【図１４】
2009247183.tif 000016
【図１５】
2009247183.tif 000017
【図１６】
2009247183.tif 000018
【図１７】
2009247183.tif 000019